(57)【要約】【課題】デジタル表示値のばらつきを低減することのできる電気測定器及び電気測定器における測定結果のデジタル表示方法を提供する。【解決手段】測定結果をデジタル表示する電気測定器１００は、入力部２０と、Ａ／Ｄ変換器４０と、デジタル表示器３０と、デジタル表示器３０にデジタル表示値を表示するための表示値信号を送る処理装置５１と、を有し、処理装置５１は、順次に生成した最近の測定値信号が示す測定値ｘ（ｔn-1）、ｘ（ｔn）、ｘ（ｔn+1）のうちｘ（ｔn）が極小値であることを検出すると、デジタル表示値をその極小値にホールドする構成とする。上記ホールドは、最近の測定値ｘ（ｔn-1）、ｘ（ｔn）、ｘ（ｔn+1）が単調増加又は単調減少の関係を有すること、又は最近の測定値ｘ（ｔn）、ｘ（ｔn+1）間に増加も減少もないことを検出して解除することができる。【選択図】図４
2012137433.tif 000002
【特許請求の範囲】
【請求項１】
測定結果をデジタル表示する電気測定器において、
入力部と、
前記入力部から入力されるアナログ信号をデジタル信号に変換するＡ／Ｄ変換器と、
測定値を示すデジタル表示値を表示するデジタル表示器と、
前記Ａ／Ｄ変換器からのデジタル信号を処理して測定値を示す測定値信号を生成し、生成した測定値信号に基づいて前記デジタル表示器にデジタル表示値を表示するための表示値信号を送る処理装置と、
を有し、
前記処理装置は、順次に生成した最近の測定値信号が示す測定値ｘ（ｔn-1）、ｘ（ｔn）、ｘ（ｔn+1）のうちｘ（ｔn）が極小値であることを検出すると、前記デジタル表示器に表示するデジタル表示値をその極小値にホールドすることを特徴とする電気測定器。
【請求項２】
測定結果をデジタル表示する電気測定器において、
入力部と、
前記入力部から入力されるアナログ信号をデジタル信号に変換するＡ／Ｄ変換器と、
測定値を示すデジタル表示値を表示するデジタル表示器と、
前記Ａ／Ｄ変換器からのデジタル信号を処理して測定値を示す測定値信号を生成し、生成した測定値信号に基づいて前記デジタル表示器にデジタル表示値を表示するための表示値信号を送る処理装置と、を有し、
前記処理装置は、順次に生成した最近の測定値信号が示す測定値ｘ（ｔn-1）、ｘ（ｔn）、ｘ（ｔn+1）のうちｘ（ｔn）が極大値であることを検出すると、前記デジタル表示器に表示するデジタル表示値をその極大値にホールドすることを特徴とする電気測定器。
【請求項３】
前記処理装置は、順次に生成した最近の測定値信号が示す測定値ｘ（ｔn-1）、ｘ（ｔn）、ｘ（ｔn+1）が単調増加又は単調減少の関係を有すること、又は順次に生成した最近の測定値信号が示す測定値ｘ（ｔn）、ｘ（ｔn+1）間に増加も減少もないことを検出すると、前記ホールドを解除することを特徴とする請求項１又は２に記載の電気測定器。
【請求項４】
電気測定器における測定結果のデジタル表示方法において、
入力されるアナログ信号をデジタル信号に変換する工程、
変換されたデジタル信号を処理して測定値を示すデジタルの測定値信号を生成する工程、
順次に生成された最近の測定値信号が示す測定値ｘ（ｔn-1）、ｘ（ｔn）、ｘ（ｔn+1）のうちｘ（ｔn）が極小値であることを検出してデジタル表示値をその極小値にホールドする工程、
を有することを特徴とする電気測定器における測定結果のデジタル表示方法。
【請求項５】
電気測定器における測定結果のデジタル表示方法において、
入力されるアナログ信号をデジタル信号に変換する工程、
変換されたデジタル信号を処理して測定値を示すデジタルの測定値信号を生成する工程、
順次に生成された最近の測定値信号が示す測定値ｘ（ｔn-1）、ｘ（ｔn）、ｘ（ｔn+1）のうちｘ（ｔn）が極大値であることを検出してデジタル表示値をその極大値にホールドする工程、
を有することを特徴とする電気測定器における測定結果のデジタル表示方法。
【請求項６】
更に、順次に生成された最近の測定値信号が示す測定値ｘ（ｔn-1）、ｘ（ｔn）、ｘ（ｔn+1）が単調増加又は単調減少の関係を有すること、又は順次に生成された最近の測定値信号が示す測定値ｘ（ｔn）、ｘ（ｔn+1）間に増加も減少もないことを検出して前記ホールドを解除する工程を有することを特徴とする請求項４又は５に記載の電気測定器における測定結果のデジタル表示方法。
【発明の詳細な説明】
【技術分野】
【０００１】
本発明は、電圧、電流、抵抗、周波数、静電容量などの各種電気測定項目の測定が可能なデジタルマルチメータなどとされる電気測定器、及びその電気測定器における測定結果のデジタル表示方法に関するものである。
【背景技術】
【０００２】
従来、直流及び交流の電流及び電圧の測定や、抵抗、周波数或いは静電容量の測定などが行えるデジタルマルチメータなどの電気測定器では、測定結果がＬＣＤパネル（液晶表示板）などとされるデジタル表示器にデジタル表示値として表示されるようになっている（特許文献１参照）。
【０００３】
即ち、図１１に示すように、このような電気測定器では、アナログ測定値がＡ／Ｄ変換器でデジタル信号に変換され、このデジタル信号が信号処理されてノイズが取り除かれるなどして、デジタル測定値が生成される。そして、このデジタル測定値がデジタル表示値としてＬＣＤパネルなどのデジタル表示器に表示される。
【先行技術文献】
【特許文献】
【０００４】
【特許文献１】特開平５−６０７９７号公報
【発明の概要】
【発明が解決しようとする課題】
【０００５】
電気測定器における測定結果のデジタル表示は、数字で表示されるデジタル表示値を直接読み取ることで測定結果を知ることができるので、針で測定値を指し示すアナログ表示の場合のような読み取り誤差がない点などにおいて非常に有利であり、広く用いられている。
【０００６】
しかしながら、このようなデジタル表示には、ノイズなどによるデジタル測定値のばらつきが、デジタル表示値のばらつきにそのまま反映されてしまうという課題がある。デジタル表示値のばらつきは、実際に測定対象の有意な変動を反映する場合の他、電気測定器の公称の誤差範囲内にあるような、測定対象や電気測定器自体に起因する微小な変動（最小桁の値の変動など）も反映する。図１２は、デジタル表示値がばらついている様子を示している。
【０００７】
そのため、操作者が測定の目的に対して許容し得る誤差範囲や電気測定器の公称の誤差範囲を十分に認識しているのであれば問題ないが、そうでない場合などには、デジタル表示値を読み取るに当たって、ばらついている値のどの値を読み取ればよいのか戸惑うことがある。又、場合によっては、測定対象の有意な変動と誤差範囲内の変動とを取り違えたり、電気測定器自体が安定していないのではないかとの印象を与えたりすることが考えられる。
【０００８】
従って、本発明の目的は、デジタル表示値のばらつきを低減することのできる電気測定器及び電気測定器における測定結果のデジタル表示方法を提供することである。
【課題を解決するための手段】
【０００９】
上記目的は本発明に係る電気測定器及び電気測定器における測定結果のデジタル表示方法にて達成される。要約すれば、第１の本発明は、測定結果をデジタル表示する電気測定器において；入力部と；前記入力部から入力されるアナログ信号をデジタル信号に変換するＡ／Ｄ変換器と；測定値を示すデジタル表示値を表示するデジタル表示器と；前記Ａ／Ｄ変換器からのデジタル信号を処理して測定値を示す測定値信号を生成し、生成した測定値信号に基づいて前記デジタル表示器にデジタル表示値を表示するための表示値信号を送る処理装置と；を有し；前記処理装置は、順次に生成した最近の測定値信号が示す測定値ｘ（ｔn-1）、ｘ（ｔn）、ｘ（ｔn+1）のうちｘ（ｔn）が極小値であることを検出すると、前記デジタル表示器に表示するデジタル表示値をその極小値にホールドすることを特徴とする電気測定器である。
【００１０】
又、第２の本発明によると、前記第１の本発明における前記極小値にホールドすることに代えて、前記処理装置が、順次に生成した最近の測定値信号が示す測定値ｘ（ｔn-1）、ｘ（ｔn）、ｘ（ｔn+1）のうちｘ（ｔn）が極大値であることを検出すると、前記デジタル表示器に表示するデジタル表示値をその極大値にホールドする電気測定器が提供される。
【００１１】
前記第１又は第２の本発明において、一実施態様によると、前記処理装置は、順次に生成した最近の測定値信号が示す測定値ｘ（ｔn-1）、ｘ（ｔn）、ｘ（ｔn+1）が単調増加又は単調減少の関係を有すること、又は順次に生成した最近の測定値信号が示す測定値ｘ（ｔn）、ｘ（ｔn+1）間に増加も減少もないことを検出すると、前記ホールドを解除する。
【００１２】
第３の本発明によると、電気測定器における測定結果のデジタル表示方法において；入力されるアナログ信号をデジタル信号に変換する工程；変換されたデジタル信号を処理して測定値を示すデジタルの測定値信号を生成する工程；順次に生成された最近の測定値信号が示す測定値ｘ（ｔn-1）、ｘ（ｔn）、ｘ（ｔn+1）のうちｘ（ｔn）が極小値であることを検出してデジタル表示値をその極小値にホールドする工程；を有することを特徴とする電気測定器における測定結果のデジタル表示方法が提供される。
【００１３】
又、第４の本発明によると、前記第３の本発明における前記極小値にホールドする工程に代えて、順次に生成された最近の測定値信号が示す測定値ｘ（ｔn-1）、ｘ（ｔn）、ｘ（ｔn+1）のうちｘ（ｔn）が極大値であることを検出してデジタル表示値をその極大値にホールドする工程を有する電気測定器における測定結果のデジタル表示方法が提供される。
【００１４】
前記第３又は第４の本発明において、一実施態様によると、電気測定器における測定結果のデジタル表示方法は更に、順次に生成された最近の測定値信号が示す測定値ｘ（ｔn-1）、ｘ（ｔn）、ｘ（ｔn+1）が単調増加又は単調減少の関係を有すること、又は順次に生成された最近の測定値信号が示す測定値ｘ（ｔn）、ｘ（ｔn+1）間に増加も減少もないことを検出して前記ホールドを解除する工程を有する。
【発明の効果】
【００１５】
本発明によれば、デジタル表示値のばらつきを低減することができる。従って、操作者によるデジタル表示値の読み取りを容易とし、測定値に対する信頼性を向上させることができる。
【図面の簡単な説明】
【００１６】
【図１】本発明を適用し得る電気測定器の一例の正面図である。
【図２】本発明の一実施例に係る電気測定器の概略機能ブロック図である。
【図３】本発明の一実施例においてデジタル測定値の極小値、単調増加、単調減少を検出する方法を説明するための図である。
【図４】本発明の一実施例に従う制御を行った場合のデジタル表示値の推移の一例を示すグラフ図である。
【図５】本発明の一実施例に従う制御を行った場合のデジタル表示値の推移の他の例を示すグラフ図である。
【図６】本発明の一実施例に従う制御を行った場合のデジタル表示値の推移の他の例を示すグラフ図である。
【図７】本発明の一実施例に従う制御の一連のフローを示すフロー図である。
【図８】（ａ）本発明に従う制御を行わない場合と、（ｂ）本発明に従う制御を行う場合とにおけるデジタル表示値の推移を比較して示す図である。
【図９】本発明の他の実施例においてデジタル測定値の極大値を検出する方法を説明するための図である。
【図１０】本発明の他の実施例に従う制御を行った場合のデジタル表示値の推移の一例を示すグラフ図である。
【図１１】デジタル表示を行う電気測定器における一般的な信号処理の流れを説明するための図である。
【図１２】デジタル表示値がばらついている様子を示すグラフ図である。
【発明を実施するための形態】
【００１７】
以下、本発明に係る電気測定器及び電気測定器における測定結果のデジタル表示方法を図面に則して更に詳しく説明する。
【００１８】
実施例１
先ず、本発明を適用し得る電気測定器の一例であるデジタルマルチメータの概略構成について説明する。図１は、本実施例のデジタルマルチメータを正面から見た様子を示す。又、図２は、本実施例のデジタルマルチメータの概略機能ブロックを示す。
【００１９】
デジタルマルチメータ１００は、筐体１０１の外面上に、ロータリー式のファンクション切替スイッチ１１及び各種設定スイッチ１２などを備えた操作部１０と、入力部２０と、デジタル表示器３０と、を有する。入力部２０には、４つの端子、即ち、Ａ（アンペア）測定時の電流入力端子２１、ｍＡ−μＡ（ミリ、マイクロアンペア）測定時の電流入力端子２２、コモン端子２３及びＶ・Ω・ダイオード測定時の電圧入力端子２４が配置されている。又、デジタル表示器３０は、本実施例ではＬＣＤパネルとされ、図１にはデジタル表示器３０上の表示要素の全てが表示された状態が示されている。
【００２０】
筐体１０１の内部には、Ａ／Ｄ変換器４０と、測定値の処理や表示値の算出などを含むデジタルマルチメータ１００の動作全体の制御を司る制御部５０と、が配置されている。入力部２０から入力された、測定値を示すアナログ信号であるアナログ測定値信号は、Ａ／Ｄ変換器４０でデジタル信号に変換され、処理装置５１に送られる。処理装置５１の測定値信号生成部５１ａは、操作部１０によって設定された条件に従って、入力されたデジタル信号を処理して、測定値を示すデジタル信号であるデジタル測定値信号を生成する。又、処理装置５１の表示値信号生成部５１ｂは、測定値信号生成部５１ａによって生成されたデジタル測定値信号から、詳しくは後述するようにして、デジタル表示器３０に測定結果としてデジタル表示値を表示するためのデジタル信号であるデジタル表示値信号を生成し、そのデジタル表示値信号をデジタル表示器３０に送る。デジタル表示器３０は、処理装置５１から送られたデジタル表示値信号に従って、測定結果としてデジタル表示値を表示する。尚、制御部５０には、処理装置５１がデジタルマルチメータ１００を動作させるためのプログラムなどが格納されたＲＯＭ５２と、デジタル測定値の情報（測定データ）などを記憶するＲＡＭ５３と、が設けられており、これらＲＯＭ５２及びＲＡＭ５３は、処理装置５１に接続されている。
【００２１】
前述のように、デジタルマルチメータ１００などの電気測定器における測定結果のデジタル表示は、ノイズなどによるデジタル測定値のばらつきが、デジタル表示値のばらつきにそのまま反映されてしまうという課題がある。このデジタル表示値のばらつきは、サンプリング間隔が狭い（サンプリング数が多い）場合には、Ａ／Ｄ変換の際に平均化することでデジタル測定値のばらつきをある程度抑えることができるだろう。しかし、例えば、簡易測定器などにおいて、相対的にサンプリング間隔が広い（サンプリング数が少ない）場合には、Ａ／Ｄ変換の際に平均化してデジタル測定値を生成する時間が取れないことがあり、このような場合には、上記課題はより顕著となる。
【００２２】
そこで、本実施例では、次のようにして、デジタル表示値のばらつきを低減する。即ち、処理装置５１の表示値信号生成部５１ｂは、原則として、測定値信号生成部５１ａによって順次に生成されるデジタル測定値信号が示すデジタル測定値を、そのままデジタル表示値として表示するためのデジタル表示値信号を生成し、そのデジタル表示値信号をデジタル表示器３０に送る。
【００２３】
そして、表示値信号生成部５１ｂは、測定値信号生成部５１ａによって順次に生成されるデジタル測定値信号が示すデジタル測定値の極小値を検出すると、デジタル表示値をその極小値にホールドする。そして、その極小値がホールドされている間は、その極小値をデジタル表示値として表示するためのデジタル表示値信号を生成し、そのデジタル表示値信号をデジタル表示器３０に送る。又、表示値信号生成部５１ｂは、その後新たに極小値が検出されると、デジタル表示値をその極小値に更新する。つまり、ノイズなどでばらつくデジタル測定値の極小値を検出し、極小値を検出する都度デジタル表示値をその極小値にホールドすることで、デジタル表示値のばらつきを低減させる。
【００２４】
一方、表示値信号生成部５１ｂは、上述のようにしてデジタル表示値がホールドされている場合に、測定値信号生成部５１ａによって順次に生成されるデジタル測定値信号が示すデジタル測定値の単調増加又は単調減少を検出すると、デジタル表示値のホールドを解除する。そして、測定値信号生成部５１ａによって生成された直近（現在，最新）のデジタル測定値信号が示すデジタル測定値をデジタル表示値として表示するためのデジタル表示値信号を生成し、そのデジタル表示値信号をデジタル表示器３０に送る。即ち、直近のデジタル測定値をそのままデジタル表示値に反映させる。
【００２５】
又、表示値信号生成部５１ｂは、上述のようにしてデジタル表示値がホールドされている場合に、測定値信号生成部５１ａによって順次に生成されるデジタル測定値信号が示すデジタル測定値が増加も減少もしないことを検出した場合にも、デジタル表示値のホールドを解除する。そして、測定値信号生成部５１ａによって生成された直近（現在，最新）のデジタル測定値信号が示すデジタル測定値をデジタル表示値として表示するためのデジタル表示値信号を生成し、そのデジタル表示値信号をデジタル表示器３０に送る。即ち、直近のデジタル測定値をそのままデジタル表示値に反映させる。
【００２６】
ここで、図３（ａ）を参照して、極小値の検出について更に説明する。表示値信号生成部５１ｂは、測定値信号生成部５１ａによって順次に生成された最近の３個のデジタル測定値信号が示すデジタル測定値ｘ（ｔn-1）、ｘ（ｔn）、ｘ（ｔn+1）を比較して、次式、
ｘ（ｔn）＜ｘ（ｔn-1）
ｘ（ｔn+1）＞ｘ（ｔn）
の両方を満足する場合に、ｘ（ｔn）が極小値であることを検出する。そして、デジタル表示値を直近のデジタル測定値の１つ前のデジタル測定値ｘ（ｔn）にホールドする。
【００２７】
又、図３（ｂ）を参照して、単調増加の検出方法について更に説明する。表示値信号生成部５１ｂは、測定値信号生成部５１ａによって順次に生成された最近の３個のデジタル測定値信号が示すデジタル測定値ｘ（ｔn-1）、ｘ（ｔn）、ｘ（ｔn+1）を比較して、次式、
ｘ（ｔn-1）＜ｘ（ｔn）
ｘ（ｔn）＜ｘ（ｔn+1）
の両方を満足する場合に、ｘ（ｔn-1）、ｘ（ｔn）、ｘ（ｔn+1）が単調増加の関係にあることを検出する。そして、デジタル表示値がホールドされている場合は、そのデジタル表示値のホールドを解除して、デジタル表示値を直近のデジタル測定値ｘ（ｔn+1）に更新する。
【００２８】
又、図３（ｃ）を参照して、単調減少の検出方法について更に説明する。単調減少は、単調増加を検出する場合の条件式の不等号を逆にすることで検出することができる。即ち、表示値信号生成部５１ｂは、測定値信号生成部５１ａによって順次に生成された最近の３個のデジタル測定値信号が示すデジタル測定値ｘ（ｔn-1）、ｘ（ｔn）、ｘ（ｔn+1）を比較して、次式、
ｘ（ｔn-1）＞ｘ（ｔn）
ｘ（ｔn）＞ｘ（ｔn+1）
の両方を満足する場合に、ｘ（ｔn-1）、ｘ（ｔn）、ｘ（ｔn+1）が単調減少の関係にあることを検出する。そして、デジタル表示値がホールドされている場合は、そのデジタル表示値のホールドを解除して、デジタル表示値を直近のデジタル測定値ｘ（ｔn+1）に更新する。
【００２９】
又、デジタル測定値が増加も減少もしないことは、次のようにして検出することができる。即ち、表示値信号生成部５１ｂは、測定値信号生成部５１ａによって順次に生成された最近の２個のデジタル測定値信号が示すデジタル測定値ｘ（ｔn）、ｘ（ｔn+1）を比較して、次式、
ｘ（ｔn）＝ｘ（ｔn+1）
を満足する場合に、デジタル測定値ｘ（ｔn+1）がデジタル測定値ｘ（ｔn）に対して増加も減少もしないことを検出する。そして、デジタル表示値がホールドされている場合は、そのデジタル表示値のホールドを解除して、デジタル表示値を直近のデジタル測定値ｘ（ｔn+1）に更新する。
【００３０】
尚、デジタル表示値がホールドされておらず、極小値も検出されていなければ、原則通りに、順次生成される直近のデジタル測定値をそのままデジタル表示値とする。測定が開始された後に最初に極小値が検出されるまでの間、或いはデジタル表示値のホールドが解除された後に次に極小値が検出されるまでの間が該当する。
【００３１】
図４は、本実施例に従う制御によりデジタル表示値のばらつきを低減した場合のデジタル表示値の推移の一例を示す。図４中の○はデジタル測定値、●はデジタル表示値を示す（図５、図６、図９も同様である。）。図４は、既に測定が開始された後において測定値信号発生部５１ａが順次にデジタル測定値信号を生成する任意のタイミングｔ１〜ｔ９の間のデジタル測定値及びデジタル表示値の推移を示す。デジタル測定値は、ｔ１、ｔ３、ｔ５、ｔ７において極小値を示し、ｔ２、ｔ４、ｔ６において極大値を示し、ｔ７、ｔ８、ｔ９では単調増加の関係にある。従って、ｔ２では、ｔ１におけるデジタル測定値の極小値をホールドして、このデジタル測定値をデジタル表示値とする。即ち、ｔ２では、極大値を示す直近のデジタル測定値を無視して、ホールドされた、直近のデジタル測定値の１つ前のデジタル測定値をデジタル表示値とする。次に、ｔ４では、ｔ３におけるデジタル測定値の極小値をホールドして、このデジタル測定値にデジタル表示値を更新する。同様に、ｔ６、ｔ８では、それぞれｔ５、ｔ７におけるデジタル測定値の極小値をホールドして、そのデジタル測定値にデジタル表示値を更新する。一方、ｔ９では、ｔ７〜ｔ９の間のデジタル測定値の単調増加を検出して、ｔ９におけるデジタル測定値をデジタル表示値とする。即ち、ｔ９では、ｔ８においてしたホールドを解除して、直近のデジタル測定値をそのままデジタル表示値に反映させる。
【００３２】
図５は、本実施例に従う制御によりデジタル表示値のばらつきを低減した場合のデジタル表示値の推移の他の例を示す。図４のものと比較すると、ｔ６、ｔ７、ｔ８、ｔ９においてデジタル測定値が単調減少の関係にある点が異なる。従って、この場合、ｔ８では、ｔ６〜ｔ８の間のデジタル測定値の単調減少を検出して、ｔ８におけるデジタル測定値をデジタル表示値とする。即ち、ｔ８では、ｔ６においてしたホールドを解除して、直近のデジタル測定値をそのままデジタル表示値に反映させる。又、ｔ９では、デジタル表示値はホールドされておらず、ｔ７〜ｔ９の間は単調減少であるので、直近のデジタル測定値をデジタル表示値とする。即ち、ｔ９では、直近のデジタル測定値をそのままデジタル表示値に反映させる。
【００３３】
図６は、本実施例に従う制御によりデジタル表示値のばらつきを低減した場合のデジタル表示値の推移の更に他の例を示す。図４のものと比較すると、ｔ８におけるデジタル測定値がｔ７におけるデジタル測定値に対して増加も減少もしていない点が異なる。従って、この場合、ｔ８では、ｔ７のデジタル測定値から増加も減少もしていないことを検出して、ｔ８におけるデジタル測定値をデジタル表示値とする。即ち、ｔ８では、ｔ６においてしたホールドを解除して、直近のデジタル測定値をそのままデジタル表示値に反映させる。又、ｔ９では、デジタル表示値はホールドされておらず、ｔ８のデジタル測定値は当然極小値ではないので、直近のデジタル測定値をデジタル表示値とする。即ち、ｔ９では、直近のデジタル測定値をそのままデジタル表示値に反映させる。
【００３４】
このように、本実施例によれば、電気測定器１００における測定結果のデジタル表示方法は、入力されるアナログ信号をデジタル信号に変換する工程と、変換されたデジタル信号を処理して測定値を示すデジタルの測定値信号を生成する工程と、順次に生成された最近の測定値信号が示す測定値ｘ（ｔn-1）、ｘ（ｔn）、ｘ（ｔn+1）のうちｘ（ｔn）が極小値であることを検出してデジタル表示値をその極小値にホールドする工程と、順次に生成された最近の測定値信号が示す測定値ｘ（ｔn-1）、ｘ（ｔn）、ｘ（ｔn+1）が単調増加又は単調減少の関係を有すること、又は順次に生成された最近の測定値信号が示す測定値ｘ（ｔn）、ｘ（ｔn+1）間に増加も減少もないことを検出して前記ホールドを解除する工程と、を有する。
【００３５】
図７は、一例として、本実施例の制御の一連のフローの概略を示す。処理装置５１は、操作部１０から測定開始の指示が入力されると（ステップＳ１）、測定値信号生成部５１ａにおいて、デジタル測定値信号を生成し、そのデジタル測定値信号の示すデジタル測定値の情報（測定データ）をＲＡＭ５３に記憶させる（ステップＳ２）。次に、処理装置５１は、表示値信号生成部５１ｂにおいて、ＲＡＭ５３に記憶されているデジタル測定値を読み込み、前述の演算を行うことで、直近のデジタル測定値の１つ前のデジタル測定値が極小値であるか否かを判断する（ステップＳ３）。
【００３６】
ステップＳ３において極小値が検出されない場合、処理装置５１は、表示値信号生成部５１ｂにおいて、ＲＡＭ５３に記憶されているデジタル測定値を読み込み、前述の演算を行うことで、直近のデジタル測定値、１つ前のデジタル測定値及び２つ前のデジタル測定値が単調増加又は単調減少の関係にあるか否か、及び直近のデジタル測定値と１つ前のデジタル測定値とが等しいか否かを判断する（ステップＳ４）。
【００３７】
ステップＳ４において、単調増加、単調減少、又は連続する最近のデジタル測定値間に増加も減少もないことのいずれも検出されない場合、処理装置５１は、表示値信号生成部５１ｂにおいて、デジタル表示値がホールドされているか否かを確認する（ステップＳ５）。
【００３８】
ステップＳ５においてデジタル表示値がホールドされていない場合、処理装置５１は、表示値信号生成部５１ｂにおいて、直近のデジタル測定値をデジタル表示値として決定して（ステップＳ６）、それを表示させるためのデジタル表示値信号をデジタル表示器３０に送る（ステップＳ７）。
【００３９】
ステップＳ３において極小値が検出された場合、処理装置５１は、表示値信号生成部５１ｂにおいて、その極小値を示すデジタル測定値をデジタル表示値としてホールドし（ステップＳ９）、そのホールドしたデジタル測定値をデジタル表示値として決定して（ステップＳ１０）、それを表示させるためのデジタル表示値信号をデジタル表示器３０に送る（ステップＳ７）。ステップＳ５においてデジタル表示値がホールドされている場合も同様に、そのホールドされているデジタル測定値をデジタル表示値として決定して（ステップＳ１０）、それを表示させるためのデジタル表示値信号をデジタル表示器３０に送る（ステップＳ７）。
【００４０】
一方、ステップＳ４において単調増加、単調減少、又は連続する最近のデジタル測定値間に増加も減少もないことのいずれかが検出された場合、処理装置５１は、表示値信号生成部５１ｂにおいて、デジタル表示値がホールドされているか否かを確認する（ステップＳ１１）。そして、デジタル表示値がホールドされている場合は、処理装置５１は、表示値信号生成部５１ｂにおいて、そのホールドを解除した後（ステップＳ１２）、直近のデジタル測定値をデジタル表示値として決定して（ステップＳ６）、それを表示させるためのデジタル表示値信号をデジタル表示器３０に送る（ステップＳ７）。尚、デジタル表示値がホールドされていない場合は、ホールドの解除処理を行うことなく、ステップＳ６に移行する。
【００４１】
処理装置５１は、以上のようなデジタル表示器３０に対してデジタル表示値信号を送る一連の処理を、測定終了の指示が入力されるまで繰り返す（ステップＳ８）。
【００４２】
図８は、デジタル表示器３０に表示されたデジタル表示値の推移の一例を示す。図８（ａ）は、本実施例に従う制御を行わない場合、即ち、順次に生成されるデジタル測定値をそのままデジタル表示値とした場合における、図４のｔ２〜ｔ５の間に対応するデジタル表示値の推移である。又、図８（ｂ）は、本実施例に従う制御を行った場合における、図４のｔ２〜ｔ５の間に対応するデジタル表示値の推移である。
【００４３】
図４、図５、図６及び図８から分かるように、本実施例に従う制御を行うことによって、デジタル表示値のばらつきを低減することができる。そのため、操作者が、デジタル表示値を読み取るに当たって、ばらついている値のどの値を読み取ればよいのか戸惑うようなことを防止することができる。又、操作者が、測定対象の有意な変動と誤差範囲内の変動とを取り違えたり、電気測定器自体が安定していないのではないかとの印象を与えたりすることを防止することができる。従って、操作者によるデジタル表示値の読み取りを容易とし、測定値に対する信頼性を向上させることができる。
【００４４】
実施例２
次に、本発明の他の実施例について説明する。本実施例の電気測定器及び電気測定器における測定結果のデジタル表示方法は、基本的には実施例１のものと同じであり、デジタル表示値をホールドする方法が異なる。従って、実施例１のものと同一又はそれに相当する機能、構成を有する要素には同一符号を付して、詳しい説明は省略する。
【００４５】
実施例１では、処理装置５１の表示値信号生成部５１ｂは、測定値信号生成部５１ａによって順次に生成されるデジタル測定値信号が示すデジタル測定値の極小値を検出すると、デジタル表示値をその極小値にホールドした。
【００４６】
これに対して、本実施例では、処理装置５１の表示値信号生成部５１ｂは、測定値信号生成部５１ａによって順次に生成されるデジタル測定値信号が示すデジタル測定値の極大値を検出すると、デジタル表示値をその極大値にホールドする。そして、その極大値がホールドされている間は、その極大値をデジタル表示値として表示するためのデジタル表示値信号を生成し、そのデジタル表示値信号をデジタル表示器３０に送る。又、表示値信号生成部５１ｂは、その後新たに極大値が検出されると、デジタル表示値をその極大値に更新する。
【００４７】
ここで、図９を参照して、極大値の検出について更に説明する。極大値は、実施例１にて説明した極小値を検出する場合の条件式の不等号を逆にすることで検出することができる。即ち、表示値信号生成部５１ｂは、測定値信号生成部５１ａによって順次に生成された最近の３個のデジタル測定値信号が示すデジタル測定値ｘ（ｔn-1）、ｘ（ｔn）、ｘ（ｔn+1）を比較して、次式、
ｘ（ｔn）＞ｘ（ｔn-1）
ｘ（ｔn+1）＜ｘ（ｔn）
の両方を満足する場合に、ｘ（ｔn）が極大値であることを検出する。そして、デジタル表示値を直近のデジタル測定値の１つ前のデジタル測定値ｘ（ｔn）にホールドする。
【００４８】
図１０は、本実施例に従う制御によりデジタル表示値のばらつきを低減した場合のデジタル表示値の推移の一例を示す。図１０は、既に測定が開始された後において測定値信号発生部５１ａが順次にデジタル測定値信号を生成する任意のタイミングｔ１〜ｔ９の間のデジタル測定値及びデジタル表示値の推移を示す。デジタル測定値は、ｔ１、ｔ３、ｔ５、ｔ７において極大値を示し、ｔ２、ｔ４、ｔ６において極小値を示し、ｔ７、ｔ８、ｔ９では単調減少の関係にある。従って、ｔ２では、ｔ１におけるデジタル測定値の極大値をホールドして、このデジタル測定値をデジタル表示値とする。即ち、ｔ２では、極小値を示す直近のデジタル測定値を無視して、ホールドされた、直近のデジタル測定値の１つ前のデジタル測定値をデジタル表示値とする。次に、ｔ４では、ｔ３におけるデジタル測定値の極大値をホールドして、このデジタル測定値にデジタル表示値を更新する。同様に、ｔ６、ｔ８では、それぞれｔ５、ｔ７におけるデジタル測定値の極大値をホールドして、そのデジタル測定値にデジタル表示値を更新する。一方、ｔ９では、ｔ７〜ｔ９の間のデジタル測定値の単調減少を検出して、ｔ９におけるデジタル測定値をデジタル表示値とする。即ち、ｔ９では、ｔ８においてしたホールドを解除して、直近のデジタル測定値をそのままデジタル表示値に反映させる。その他、単調増加や連続する最近のデジタル測定値間に増加も減少もないことを検出した場合にホールドを解除することは実施例１と同様である。
【００４９】
このように、本実施例によれば、電気測定器１００における測定結果のデジタル表示方法は、実施例１における極小値にホールドする工程に代えて、順次に生成された最近の測定値信号が示す測定値ｘ（ｔn-1）、ｘ（ｔn）、ｘ（ｔn+1）のうちｘ（ｔn）が極大値であることを検出してデジタル表示値をその極大値にホールドする工程を有する。
【００５０】
本実施例に従う制御は、一例として、図７に示すフローにおけるステップＳ３の極小値の検出を極大値の検出に読み替えた一連のフローにより実施することができる。
【００５１】
図１０から分かるように、デジタル測定値の極大値をホールドすることによっても、極小値をホールドする場合と同様に、デジタル表示値のばらつきを低減することができる。
【００５２】
その他の実施例
以上、本発明を具体的な実施例に則して説明したが、本発明は上述の実施例に限定されるものではない。
【００５３】
例えば、電気測定器は、本発明に従う制御を実施する特別の動作モードを有していてもよい。即ち、例えば、操作者が操作部１０の設定スイッチ１２などから上述の実施例で説明したデジタル表示値のばらつきを低減する制御を実施する動作モードと、通常の（即ち、当該制御を行わない）動作モードとを選択することが可能となっていてもよい。或いは、特定の測定項目の測定を行う場合に、上述の実施例で説明したデジタル表示値のばらつきを低減する制御を行うものとしてもよい。
【００５４】
又、上述の実施例では、デジタル表示値のホールドは、その後デジタル測定値の単調増加又は単調減少を検出した際、又は連続する最近のデジタル測定値間に増加も減少もないことを検出した際に解除する場合について説明した。これにより、測定対象の有意な変動を自動的に検出してデジタル表示値に反映させることができる。但し、デジタル表示値のホールドは、デジタル測定値の単調増加又は単調減少を検出した場合、又は連続する最近のデジタル測定値間に増加も減少もないことを検出した場合の他、所望により、操作者が任意に解除できるようにしたり、一定期間同じデジタル表示値にホールドされた場合に一旦解除したりすることもできる。
【符号の説明】
【００５５】
１０      操作部
２０      入力部
３０      デジタル表示器
４０      Ａ／Ｄ変換器
５０      制御部
５１      処理装置
５１ａ    測定値信号生成部
５１ｂ    表示値信号生成部
【図１】
2012137433.tif 000003
【図２】
2012137433.tif 000004
【図３】
2012137433.tif 000005
【図４】
2012137433.tif 000006
【図５】
2012137433.tif 000007
【図６】
2012137433.tif 000008
【図７】
2012137433.tif 000009
【図８】
2012137433.tif 000010
【図９】
2012137433.tif 000011
【図１０】
2012137433.tif 000012
【図１１】
2012137433.tif 000013
【図１２】
2012137433.tif 000014